(57)【要約】  多重入力多重出力（ＭＩＭＯ）通信システムにおいて送信される物理層コンバージェンスプロトコル（ＰＬＣＰ）データ構造３００。ＰＬＣＰデータ構造は、レガシープリアンブル３１１とレガシーヘッダ３１２を含むレガシー部であって、レガシープリアンブル３１１とレガシーヘッダ３１２は少なくともＷｉＭｅｄｉａ標準規格に準拠する情報を伝える、レガシー部と、ＨＴプリアンブル３２１とＨＴヘッダ３２２を含むハイスループット（ＨＴ）部であって、ＨＴプリアンブル３２１はＭＩＭＯ通信システムの受信機が受信信号をデコードすることを可能にする情報を伝える、ＨＴ部とを有する。
2011517167.tif 000002
【特許請求の範囲】
【請求項１】
多重入力多重出力通信システムにおいて送信される物理層コンバージェンスプロトコルデータ構造であって、
レガシープリアンブルとレガシーヘッダを含むレガシー部であって、前記レガシープリアンブルと前記レガシーヘッダは少なくともＷｉＭｅｄｉａ標準規格に準拠する情報を伝える、レガシー部と、
ハイスループットプリアンブルとハイスループットヘッダを含むハイスループット部であって、前記ハイスループットプリアンブルは前記多重入力多重出力通信システムの受信機が受信信号をデコードすることを可能にする情報を伝える、ハイスループット部とを有する、物理層コンバージェンスプロトコルデータ構造。
【請求項２】
前記レガシー部が前記多重入力多重出力システムの第一の送信アンテナから送信される、請求項１に記載の物理層コンバージェンスプロトコルデータ構造。
【請求項３】
前記ハイスループットプリアンブルが自動利得制御プリアンブルとチャネル推定プリアンブルをさらに有する、請求項１に記載の物理層コンバージェンスプロトコルデータ構造。
【請求項４】
前記自動利得制御プリアンブルの内容がトーン分配プロセスによって決定され、前記トーン分配プロセスは、
周波数領域シーケンスを決定するステップと、
前記周波数領域シーケンスを前記多重入力多重出力システムの多重送信アンテナへ分配するステップと、
各送信アンテナに対し、前記各自動利得制御プリアンブルに含まれるべき時間領域シーケンスを生成するステップとを有する、
物理層コンバージェンスプロトコルデータ構造。
【請求項５】
前記チャネル推定プリアンブルの内容が前記トーン分配プロセスによって決定される、請求項４に記載の物理層コンバージェンスプロトコルデータ構造。
【請求項６】
前記チャネル推定プリアンブルと前記自動利得制御プリアンブルを生成するために異なる時間領域シーケンスと周波数領域シーケンスが利用される、請求項５に記載の物理層コンバージェンスプロトコルデータ構造。
【請求項７】
多重送信アンテナを持ち、多重受信アンテナを持つ、多重入力多重出力通信システムにおいてデータを送信するための方法であって、
少なくともＷｉＭｅｄｉａ標準規格に準拠する情報を伝えるためのレガシー部、ハイスループット部、及びペイロードデータ部を有する物理層コンバージェンスプロトコルデータ構造を生成するステップと、
前記物理層コンバージェンスプロトコルデータ構造を第一の送信アンテナから送信するステップと、
前記物理層コンバージェンスプロトコルデータ構造の前記ハイスループット部及び前記データ部を、前記第一の送信アンテナを除く前記多重送信アンテナから送信するステップとを有する、方法。
【請求項８】
前記レガシー部がレガシープリアンブルとレガシーヘッダを含み、前記ハイスループット部がハイスループットプリアンブルとハイスループットヘッダを含み、前記ハイスループットプリアンブルは前記多重入力多重出力通信システムの受信機が受信信号をデコードすることを可能にする情報を伝える、請求項７に記載の方法。
【請求項９】
前記ハイスループットプリアンブルが自動利得制御プリアンブルとチャネル推定プリアンブルを有し、前記自動利得制御プリアンブルと前記チャネル推定プリアンブルの内容はトーン分配プロセスを用いて生成される、請求項７に記載の方法。
【請求項１０】
多重送信アンテナを持ち、多重受信アンテナを持つ、多重入力多重出力通信システムにおいてデータを送信するための方法であって、
少なくともＷｉＭｅｄｉａ標準規格に準拠する情報を伝えるためのレガシー部、ハイスループット部、及びペイロードデータ部を有する物理層コンバージェンスプロトコルデータ構造を生成するステップと、
前記物理層コンバージェンスプロトコルデータ構造を前記多重送信アンテナから送信するステップであって、各送信アンテナは前記レガシー部の周期的にシフトされたバージョンを送信するステップとを有する、方法。
【請求項１１】
多重入力多重出力通信システムにおいて送信されるべき物理層コンバージェンスプロトコルデータ構造であって、
レガシープリアンブルとレガシーヘッダを含むレガシー部であって、前記レガシープリアンブルと前記レガシーヘッダは少なくともＷｉＭｅｄｉａ標準規格に準拠する情報を伝える、レガシー部と、
ハイスループットチャネル推定プリアンブルとハイスループットヘッダを含むハイスループット部であって、前記ハイスループットチャネル推定プリアンブルは全多重送信アンテナによって送信される信号のチャネル効果を推定するための周波数領域シーケンスを伝える、ハイスループット部とを有する、物理層コンバージェンスプロトコルデータ構造。
【請求項１２】
前記レガシープリアンブルが、全多重送信アンテナによって送信される信号のチャネル効果を推定するために利用され、各送信アンテナは副搬送波の１サブセットのみで送信し、異なる送信アンテナは副搬送波の異なるサブセットで送信する、請求項１１に記載の物理層コンバージェンスプロトコルデータ構造。
【請求項１３】
前記レガシープリアンブルと前記レガシーヘッダがトーン分配プロセスを用いて生成される、請求項１２に記載の物理層コンバージェンスプロトコルデータ構造。
【請求項１４】
多重送信アンテナを持ち、多重受信アンテナを持つ、多重入力多重出力通信システムにおいてデータを送信するための方法であって、
少なくともＷｉＭｅｄｉａ標準規格に準拠する情報を伝えるためのレガシー部、ハイスループットチャネル推定プリアンブルとハイスループットヘッダ部、及びペイロードデータ部を有する物理層コンバージェンスプロトコルデータ構造を生成するステップと、
前記多重送信アンテナから前記物理層コンバージェンスプロトコルデータ構造を送信するステップとを有する方法。
【請求項１５】
全多重送信アンテナによって副搬送波の異なるサブセットで送信される信号のチャネル効果が、前記レガシープリアンブルを用いて推定され、前記ハイスループットチャネル推定プリアンブルが、前記レガシープリアンブルによって推定される前記副搬送波を除く全副搬送波で送信される信号のチャネル効果を推定するための周波数領域シーケンスを伝える、請求項１４に記載の方法。
【発明の詳細な説明】
【技術分野】
【０００１】
本願は２００８年３月１０日出願の米国仮出願第６１／０３５，１４４号及び２００９年３月４日出願の米国仮出願第６１／１５７，２３１号の利益を主張する。
【０００２】
本発明は概して多重入力多重出力（ＭＩＭＯ）通信システムに関し、より具体的にはＭＩＭＯ通信システム用のプリアンブル構造に関する。
【背景技術】
【０００３】
ＷｉＭｅｄｉａ標準規格は、マルチバンド直交周波数分割多重（ＭＢ‐ＯＦＤＭ）伝送に基づいてメディアアクセス制御（ＭＡＣ）層及び物理（ＰＨＹ）層の規格を定義する。ＷｉＭｅｄｉａ標準規格は低消費電力で最大４８０Ｍｂｐｓまでの速度で短距離マルチメディアファイル転送を可能にする。該標準規格は、超広帯域（ＵＷＢ）スペクトルの３．１ＧＨｚから１０．６ＧＨｚの周波数帯域において機能する。しかしながらＷｉＭｅｄｉａ標準規格速度の最高データ速度は、ＨＤＴＶ無線接続性などの将来の無線マルチメディアアプリケーションには対応することができない。１Ｇｂｐｓ以上にデータ速度を増加させる努力がなされている。
【０００４】
この目的のため、将来のＷｉＭｅｄｉａベース無線通信システム用に多重入力多重出力（ＭＩＭＯ）技術が考慮されている。ＭＩＭＯ技術はより良好なダイバーシティ利得をもたらし、高散乱（ｒｉｃｈ  ｓｃａｔｔｅｒｉｎｇ）シナリオ下においてチャネル容量を著しく増加させることができる。ＭＩＭＯ技術は、例えば８０２．１１ｎベース無線ローカルエリアネットワーク（ＷＬＡＮ）及びＷｉＭａｘを含む無線システムに成功裏に採用されている。ＭＩＭＯはまた、次世代ＷｉＭｅｄｉａベースシステムにも実装されると考えられている。
【０００５】
図１はＭＩＭＯベースシステム１００の概略図を示し、ここで送信機１３０はＭ個の送信アンテナ１１０‐１から１１０‐Ｍを含み、受信機１４０はＮ個の受信アンテナ１２０‐１から１２０‐Ｎを用いて信号を受信する。典型的には、単入力単出力（ＳＩＳＯ）システムにおいて、受信機はスカラーチャネルパラメータ'ｈ'のみを推定する。つまり、チャネル推定は送信アンテナによって送信されるプリアンブルを用いて受信機によって実行される。一方ＭＩＭＯシステム１００においては、受信アンテナ１２０‐Ｘ（Ｘは１以上の整数である）がＭ×Ｎのチャネル行列Ｈを推定するはずである。
【数１】
2011517167.tif 000003
【０００６】
図２は、ＳＩＳＯベースＵＷＢ通信システムにおいて利用される物理層パケットである、物理層コンバージェンスプロトコル（ＰＬＣＰ）パケット２００を示す。ＰＬＣＰパケット２００は、プリアンブル２１０、ヘッダ２２０、及びペイロードデータ２３０を含む。プリアンブル２１０は、受信機がパケット検出、自動利得制御（ＡＧＣ）調整、同期（例えばタイミング取得及び搬送波周波数オフセット推定）、及びチャネル推定のタスクを実行することを可能にする。この目的で、プリアンブル２１０は同期（ＳＹＮＣ）２１１及びチャネル推定（ＣＥ）２１２という２つの部分を含む。同期部２１１は反復構造を持つＯＦＤＭシンボルの時間領域ランダムシーケンスを含む。これらのシーケンスは良好な自己相関特性を持ち、ＵＷＢ受信機が相関に基づく方法を用いてパケット及びタイミング同期検出を実行することを可能にする。ランダムシーケンスはまた、ＡＧＣ及び周波数オフセット推定を実行するためにも利用されることができる。加えて、時間領域シーケンスはＦＣＣパワースペクトル密度マスク要件を満たすように最適化される。チャネル推定部２１２は、受信機が各副搬送波に対してチャネルパラメータ'ｈ'を推定することを可能にするトレーニングシンボルを含む。
【０００７】
ＰＬＣＰパケット２００は将来のＭＩＭＯベースＵＷＢ通信システムに直接使用されることができない。これはＭＩＭＯベースシステムが、より多くのチャネルパラメータが推定される必要があるためにより多くのチャネル推定シンボルを必要とするという事実に起因する。加えて、１つよりも多くのアンテナ１１０‐Ｘがペイロードデータ２３０を同時に送信し、それによって同期部２１１はＡＧＣ微調整を可能にするために修正されなければならない。
【発明の概要】
【発明が解決しようとする課題】
【０００８】
従って、将来のＭＩＭＯベースＵＷＢシステムにおけるＭＩＭＯをサポートするために、少なくとも上記の要件を満たす新たなＰＬＣＰパケット構造を定義する必要がある。加えて、新たなＰＬＣＰパケットは現バージョン及び／又は旧バージョンのＷｉＭｅｄｉａ標準規格と下位互換性があるべきである。ＰＬＣＰパケットはまた、多重送信アンテナから送信される信号がＦＣＣパワースペクトルマスク要件を満たすことを保証すべきである。しかしながらＰＬＣＰパケットのオーバーロードは、システム性能を低下させないために可能な限り低くなければならない。
【課題を解決するための手段】
【０００９】
本発明のある実施形態は、多重入力多重出力（ＭＩＭＯ）通信システムにおいて送信される物理層コンバージェンスプロトコル（ＰＬＣＰ）データ構造を含む。ＰＬＣＰデータ構造は、レガシープリアンブルとレガシーヘッダを含むレガシー部であって、レガシープリアンブルとレガシーヘッダは少なくともＷｉＭｅｄｉａ標準規格に準拠する情報を伝える、レガシー部と、ＨＴプリアンブルとＨＴヘッダを含むハイスループット（ＨＴ）部であって、ＨＴプリアンブルはＭＩＭＯ通信システムの受信機が受信信号をデコードすることを可能にする情報を伝える、ＨＴ部とを有する。
【００１０】
本発明のある実施形態は、多重送信アンテナを持ち、多重受信アンテナを持つ、多重入力多重出力（ＭＩＭＯ）通信システムにおいてデータを送信するための方法を含む。該方法は、少なくともＷｉＭｅｄｉａ標準規格に準拠する情報を伝えるためのレガシー部、ハイスループット（ＨＴ）部、及びデータ部を有するＰＬＣＰデータ構造を生成するステップと、第一の送信アンテナからＰＬＣＰデータ構造を送信するステップと、第一の送信アンテナを除く多重送信アンテナからＰＬＣＰデータ構造のＨＴ部とデータ部を送信するステップとを含む。
【００１１】
本発明のある実施形態は、多重送信アンテナを持ち、多重受信アンテナを持つ、多重入力多重出力（ＭＩＭＯ）通信システムにおいてデータを送信するための方法を含む。該方法は、少なくともＷｉＭｅｄｉａ標準規格に準拠する情報を伝えるためのレガシー部、ハイスループット（ＨＴ）部、及びデータ部を有するＰＬＣＰデータ構造（３００）を生成するステップと、多重送信アンテナからＰＬＣＰデータ構造を送信するステップとを含み、各送信アンテナはレガシー部の周期的にシフトされたバージョンを送信する。
【００１２】
本発明のある実施形態は、多重入力多重出力（ＭＩＭＯ）通信システムにおいて送信されるべき物理層コンバージェンスプロトコル（ＰＬＣＰ）データ構造を含む。ＰＬＣＰは、レガシープリアンブルとレガシーヘッダを含むレガシー部であって、レガシープリアンブルとレガシーヘッダが少なくともＷｉＭｅｄｉａ標準規格に準拠する情報を伝える、レガシー部と、ＨＴチャネル推定（ＣＥ）プリアンブルとＨＴヘッダを含むハイスループット（ＨＴ）部であって、ＨＴ  ＣＥプリアンブルは全多重送信アンテナによって送信される信号のチャネル効果を推定するための周波数領域シーケンスを伝える、ＨＴ部とを有する。
【００１３】
本発明のある実施形態は、多重送信アンテナを持ち、多重受信アンテナを持つ、多重入力多重出力（ＭＩＭＯ）通信システムにおいてデータを送信するための方法を含む。該方法は、少なくともＷｉＭｅｄｉａ標準規格に準拠する情報を伝えるためのレガシー部、ハイスループット（ＨＴ）チャネル推定（ＣＥ）プリアンブルとＨＴヘッダ部、及びペイロードデータ部を有するＰＬＣＰデータ構造を生成するステップと、多重送信アンテナからＰＬＣＰデータ構造を送信するステップとを有する。
【００１４】
本発明とみなされる主題は、本明細書の終わりにあたり請求項において特に指摘され、明確に請求される。本発明の前述の及び他の特徴と利点は、添付の図面と併用される以下の詳細な説明から明らかとなるだろう。
【図面の簡単な説明】
【００１５】
【図１】図１はＭＩＭＯベースシステムの概略図である。
【図２】図２はＷｉＭｅｄｉａ標準規格に従って構成される物理層コンバージェンスプロトコル（ＰＬＣＰ）パケットの図である。
【図３】図３は本発明の一実施形態に従って構成されるＰＬＣＰパケットデータ構造の図である。
【図４】図４は本発明の一実施形態に従って実装されるトーン分配プロセスを説明するフローチャートである。
【図５】図５はトーン分配プロセスを用いて生成されるＡＧＣプリアンブルを図示する。
【図６】図６はＡＧＣプリアンブルの自己相関及び相互相関シミュレーショングラフを図示する。
【図７】図７はトーン分配プロセスを用いて生成されるＣＥプリアンブルを図示する。
【図８】図８は本発明の別の実施形態に従って構成されるＰＬＣＰパケットである。
【発明を実施するための形態】
【００１６】
本発明によって開示される実施形態は、本明細書の革新的教示の多くの有利な使用の例に過ぎないことに留意することが重要である。概して、本願の明細書においてなされる記述は、請求された様々な発明のいずれも必ずしも限定するものではない。さらに、いくつかの記述はいくつかの発明の特徴には当てはまるが、他のものには当てはまらない可能性がある。概して、他に指示されない限り、一般性を失うことなく、単数形の要素は複数形であってもよく、逆もまた同様である。図面において、複数の図面を通して類似する数字は類似する部分をあらわす。
【００１７】
図３は、本発明の一実施形態に従って構成される物理層コンバージェンスプロトコル（ＰＬＣＰ）パケット３００の例示的かつ非限定的な図を示す。ＰＬＣＰパケット３００は、レガシープリアンブル３１１とレガシーヘッダ３１２、ハイスループット（ＨＴ）プリアンブル３２１とＨＴヘッダ３２２、及びペイロードデータ部３３０を含むデータ構造である。ＰＬＣＰパケット２００と比較して、ＰＬＣＰパケット３００には新たなプリアンブル（３２１）とヘッダ（３２２）が加えられる。ＰＬＣＰ３００の構造は図１に示されたＭＩＭＯベース通信システムを参照して説明される。
【００１８】
好ましい一実施形態において、レガシープリアンブル３１１及びヘッダ３１２は、それぞれ標準ＰＬＣＰプリアンブル２１０及びヘッダ２２０に含まれるような情報を伝えるために第一の送信アンテナ１１０‐１のみを通して送信される。好ましい一実施形態において、レガシープリアンブル３１１及びレガシーヘッダ３１２はＷｉＭｅｄｉａ標準規格バージョン１．０で定義される。これはＭＩＭＯベースＵＷＢシステムが、パケット検出、ＡＧＣ制御、タイミング同期、周波数オフセット推定、及びヘッダ情報をデコードするためのチャネル推定のタスクを実行することを可能にする。ＡＧＣ制御及びチャネル推定は、レガシープリアンブル３１１及びレガシーヘッダ３１２を送信するチャネルに対してのみ実行される。さらに、１つの送信アンテナ１１０‐１しかこの情報を送信しないので、ＦＣＣパワースペクトルマスクが満たされる。
【００１９】
他のチャネルのＡＧＣ及びチャネル推定を可能にするために、ＨＴプリアンブル３２１はＡＧＣプリアンブル３２１‐１及びチャネル推定（ＣＥ）プリアンブル３２１‐２を含む（図３参照）。各送信アンテナ１１０‐Ｘ（Ｘは１以上の整数である）は異なるＡＧＣプリアンブル３２１‐１を送信し、全送信アンテナ１１０‐１から１１０‐Ｍは自身のＡＧＣプリアンブル３２１‐１を同時に送信する。正確なＡＧＣ調整を得るために、異なる送信アンテナ１１０‐ＸからのＡＧＣプリアンブル３２１‐１は無相関でなければならない。この目的から、ＡＧＣプリアンブル３２１‐１の内容は"トーン分配（ｔｏｎｅ  ｄｉｓｔｒｉｂｕｔｉｎｇ）"プロセスを用いて決定される。好ましい一実施形態において、ＡＧＣプリアンブル３２１‐１は６個のＯＦＤＭシンボルを持つショートプリアンブルを含む。
【００２０】
図４は、本発明の一実施形態に従って実施されるトーン分配プロセスを説明する、例示的かつ非限定的なフローチャート４００を示す。Ｓ４１０において、複数のＮＦＦＴシンボルを含む周波数領域シーケンスが定義され、これはＷｉＭｅｄｉａ標準規格バージョンｖ１．０で定義されるプリアンブルシーケンスのうちの１つの対応する周波数領域シーケンスと同じであることができる。パラメータＮＦＦＴはＯＦＤＭシンボルにおける副搬送波の数である。平坦なパワースペクトルを保証するべく、この目的のためにＱＰＳＫコンスタレーションから非ゼロシンボルが選出され得る。Ｓ４２０において、周波数領域シーケンスは送信アンテナ１１０‐１から１１０‐Ｍまでに分配される。Ｓ４３０において、各送信アンテナ１１０‐Ｘに対して、各ＡＧＣプリアンブル３２１‐１に含まれるべき時間領域シーケンスが生成される。具体的には、送信アンテナ１１０‐Ｘによって送信されるべき時間領域ＡＧＣプリアンブル（ＴＸ）は次のように生成される。
【数２】
2011517167.tif 000004
Ｓ（ｋ）は副搬送波ｋにおける周波数領域の値であり、ＦＸ（ｋ）は送信アンテナ１１０‐Ｘの各周波数領域プリアンブルであり、ＩＦＦＴ（ＦＸ）は逆高速フーリエ変換である。
【００２１】
トーン分配プロセスの工程を図示する非限定的な実施例が図５に提供される。プリアンブル５１０及び５２０が周波数領域シーケンス５３０を用いて生成される。気付かれる通り、副搬送波の値はゼロとＳ（ｋ）の間を行ったり来たりする。この実施例において、送信アンテナ１１０‐１及び１１０‐２は異なる副搬送波を通してプリアンブル５１０及び５２０を送信する。従って、各時間領域ＡＧＣプリアンブル５１０及び５２０は無相関である。これは図６にさらに図示され、図６は、それぞれグラフ６１０及び６２０において時間領域ＡＧＣプリアンブル５１０及び５２０の自己相関シミュレーション結果を、グラフ６３０においてこれらの相互相関を示す。気付かれる通り、相互相関信号（すなわち２信号の類似性の尺度）はゼロである。
【００２２】
ＣＥプリアンブル３２１‐２は、異なる送信アンテナ１１０‐Ｘによって生成されるプリアンブルが直交するようなやり方で構成される。これは異なるチャネルが別々に推定されることができることを確実にする。具体的には、各送信アンテナ１１０‐ＸはＭ個の異なる期間中にＭ個の異なるＣＥプリアンブル３２１‐２を送信する。Ｍ個の異なるＣＥプリアンブル３２１‐２はトーン分配プロセシングを用いて生成され、期間ｊ中に送信アンテナ１１０‐ｉによって送信される時間領域プリアンブルＤｉ，ｊは次のように決定される。
【数３】
2011517167.tif 000005
Ωａ，ａ＝１，２，…Ｍは添字集合であり、その各々はＮＦＦＴ／Ｍ個の元を持ち、Ωｉ∩Ωｊ＝｛｝及びΩ１∪Ω２…∪ΩＭ＝｛１，２，…，ＮＦＦＴ｝、Ｃｉ，ｊは各周波数領域プリアンブルであり、Ｓは周波数領域シーケンスである。添字集合はランダムに生成され得る。一実施形態において添字集合は
Ωａ＝｛ａ，ａ＋Ｍ，ａ＋２Ｍ，ａ＋ＮＦＦＴ−Ｍ｝
であり得る。
【００２３】
好ましい一実施形態において、ＣＥプリアンブル３２１‐１におけるＯＦＤＭシンボルの数は、Ｍが２に等しい場合は６である。
【００２４】
図７は、トーン分配プロセスを用いて周波数領域シーケンス７５０から生成される４個のＣＥプリアンブル７１０，７２０，７３０及び７４０を図示する。この実施例において、ＯＦＤＭシンボルは１２８個の副搬送波を含む。気付かれる通り、全送信アンテナ１１０‐ＸはＭ個の期間中に一度しか全副搬送波で信号を送信しない。加えて、各期間中は１つの送信アンテナ１１０‐Ｘのみが１つの副搬送波で信号を送信する。これはチャネルの推定を可能にする。
【００２５】
本発明の別の実施形態に従って、レガシープリアンブル３１１及びレガシーヘッダ３１２は巡回遅延ダイバーシティ（ＣＤＤ）スキームを用いて全送信アンテナ１１０‐１から１１０‐Ｍによって送信されることができる。具体的には、送信アンテナ１１０‐１はレガシープリアンブル３１１及びレガシーヘッダ３１２の元の内容を送信し、一方送信アンテナ１１０‐２から１１０‐Ｍはレガシープリアンブル３１１及びレガシーヘッダ３１２の周期的にシフトされたバージョンを送信する。ＨＴプリアンブル３２１に含まれるＯＦＤＭシンボル（時間領域シーケンス）はトーン分配プロセスを用いて生成されることに留意すべきである。これらのシーケンスは、レガシープリアンブル３１１が下位互換性であるように、従来の相関に基づく方法を用いてパケット検出及びタイミング同期のためにさらに利用されることができる。
【００２６】
図８は本発明の一実施形態に従って構成される物理層コンバージェンスプロトコル（ＰＬＣＰ）パケット８００の例示的かつ非限定的な図を示す。ＰＬＣＰパケット８００は、レガシープリアンブル８１１とレガシーヘッダ８１２、ＨＴチャネル推定（ＣＥ）プリアンブル８２１とＨＴヘッダ８２２、及びペイロードデータ部８３０を含むデータ構造である。ＰＬＣＰパケット３００と比較して、ＰＬＣＰパケット８００はＡＧＣプリアンブル３２１‐１を含まない。ＰＬＣＰパケット８００は全送信アンテナ１１０‐１から１１０‐Ｍによって送信され、ここでレガシープリアンブル８１１とレガシーヘッダ８１２がトーン分配プロセスを用いて生成され、プリアンブルの時間領域シーケンスはｊ＝１として式（２）を用いて定義される。これは送信された時間領域シーケンスが無相関であることを保証する。さらに、正確なＭＩＭＯ  ＡＧＣ調整がレガシープリアンブル８１１に基づいて達成されることができる。
【００２７】
ＨＴ  ＣＥプリアンブル８２１はチャネル２からＭのみを推定するための周波数領域シーケンスを含む。第一のチャネルはレガシープリアンブル８１１を用いて推定される。従って、全ての余分なプリアンブルオーバーロードが６（Ｍ−１）ＯＦＤＭシンボルに削減される。例えば、２つの送信アンテナを含むＭＩＭＯベースＵＷＢシステムに対する全ての余分なオーバーヘッドは６個のＯＦＤＭシンボルのみである。ＨＴ  ＣＥプリアンブル８２１はＭ−１個の期間中に送信され、式（２）で定義されるチャネル推定プリアンブルＤｉ，ｊは、ｉ番目（ｉ＝２，…，Ｍ）の期間内にｊ番目のアンテナを介して送信される。Ｓ（ｋ）は周波数領域チャネル推定シーケンスであり、これは例えばＷｉＭｅｄｉａ標準規格バージョンｖ１．０で定義されるチャネル推定シーケンスと同じであることができる。添字集合Ωａ，ａ＝１，２，…Ｍの異なる設計は、異なるタイミング同期性能をもたらすことができ、レガシーデバイスの同期性能を改良するために最適化されることができる。
【００２８】
前述の詳細な説明は、本発明がとることができる多くの形態のうちの一部を説明している。前述の詳細な説明は、本発明がとることができる選択された形態の例示として理解され、本発明の定義に対する限定として理解されないことを目的とする。本発明の範囲を定義することを目的とするものは、全ての均等物を含む請求項のみである。
【００２９】
最も好ましくは、本発明の原理は、ハードウェア、ファームウェア、及びソフトウェアの組み合わせとして実装される。さらに、ソフトウェアは好ましくはプログラム記憶装置又はコンピュータ可読媒体上に明白に具体化されるアプリケーションプログラムとして実装される。アプリケーションプログラムは、任意の適切なアーキテクチャを有するマシンにアップロードされ、実行され得る。好ましくは、該マシンは１つ以上の中央処理装置（"ＣＰＵ"）、メモリ、及び入力／出力インターフェースなどのハードウェアを持つコンピュータプラットフォーム上に実装される。コンピュータプラットフォームはまた、オペレーティングシステム及びマイクロ命令コードも含み得る。本明細書に記載の様々なプロセス及び機能は、マイクロ命令コードの一部であるか、又はアプリケーションプラグラムの一部であるか、又はこれらのいかなる組み合わせであってもよく、これらはこうしたコンピュータ又はプロセッサが明示されているかどうかに関わらず、ＣＰＵによって実行され得る。加えて、追加データ記憶装置及び印刷装置など、様々な他の周辺装置がコンピュータプラットフォームに接続され得る。
【図１】
2011517167.tif 000006
【図２】
2011517167.tif 000007
【図３】
2011517167.tif 000008
【図４】
2011517167.tif 000009
【図５】
2011517167.tif 000010
【図６】
2011517167.tif 000011
【図７】
2011517167.tif 000012
【図８】
2011517167.tif 000013
【国際調査報告】
2011517167.tif 000014
2011517167.tif 000015
2011517167.tif 000016